(57)【要約】【課題】手のひら等の対象物に吐出した発泡物を付着させることができ、かつ、対象物上で発泡物が所定形状となるよう成形することのできる発泡性エアゾール製品を提供する。【解決手段】吐出した発泡物を対象物に付着させて使用され、界面活性剤を含む原液と液化ガスとからなるエアゾール組成物が充填されたエアゾール容器と、エアゾール組成物を対象物に吐出するための吐出孔が形成された吐出部材とを備え、吐出部材は、エアゾール組成物を発泡させるための発泡室が内部に形成され、かつ、発泡室において発泡した発泡物が通過するための管路であって、発泡室と吐出孔とを連通する成形通路が形成されており、成形通路の水平断面は、長孔状であり、発泡物の２５℃における硬度は、３００〜３０００（ｍＮ）である、発泡性エアゾール製品。【選択図】図２
2018115267.tif 000002
【特許請求の範囲】
【請求項１】
吐出した発泡物を対象物に付着させて使用される発泡性エアゾール製品であり、
界面活性剤を含む原液と液化ガスとからなるエアゾール組成物が充填されたエアゾール容器と、前記エアゾール容器に取り付けられ、前記エアゾール組成物を前記対象物に吐出するための吐出孔が形成された吐出部材とを備え、
前記吐出部材は、
前記エアゾール容器から供給される前記エアゾール組成物を発泡させるための発泡室が内部に形成され、かつ、
前記発泡室において発泡した発泡物が通過するための管路であって、前記発泡室と前記吐出孔とを連通する成形通路が形成されており、
前記成形通路の水平断面は、長孔状であり、
前記発泡物の２５℃における硬度は、３００〜３０００（ｍＮ）である、発泡性エアゾール製品。
【請求項２】
前記界面活性剤は、アニオン性界面活性剤を含む、請求項１記載の発泡性エアゾール製品。
【請求項３】
前記原液は、水溶性高分子を含む、請求項１または２記載の発泡性エアゾール製品。
【請求項４】
圧縮ガスをさらに含む、請求項１〜３のいずれか１項に記載の発泡性エアゾール製品。
【請求項５】
前記成形通路の水平断面は、略Ｃ字状である、請求項１〜４のいずれか１項に記載の発泡性エアゾール製品。
【請求項６】
前記成形通路は、前記エアゾール容器の中心軸を囲むように略同心円状に形成された、複数の成形小通路からなる、請求項１〜５のいずれか１項に記載の発泡性エアゾール製品。
【発明の詳細な説明】
【技術分野】
【０００１】
本発明は、発泡性エアゾール製品に関する。より詳細には、本発明は、手のひら等の対象物に、吐出した発泡物を付着させて使用され、発泡物が対象物上で所定形状となるよう成形することのできる発泡性エアゾール製品に関する。
【背景技術】
【０００２】
特許文献１には、バラの花の形をしたフォームを形成する吐出容器用の造形ヘッドが開示されている。この造形ヘッドは、吐出容器から吐出された吐出物が通過する複数の成形孔と成形孔が開口する造形面とを有し、成形孔を通過して成形された吐出物による造形片を造形面上で組み合わせて造形物を形成している。
【先行技術文献】
【特許文献】
【０００３】
【特許文献１】特開２０１６−２６９６２号公報
【発明の概要】
【発明が解決しようとする課題】
【０００４】
しかしながら、特許文献１に記載の造形ヘッドによれば、バラの花の形をしたフォーム（造形物）は造形面上で形成される。このような造形物は、手ですくい取ると形状が崩れやすい。そのため、特許文献１に記載の造形ヘッドでは、対象物上に、所定形状に成形された造形物（吐出物）を移行させることができない。
【０００５】
本発明は、このような従来の課題に鑑みてなされたものであり、手のひら等の対象物に吐出した発泡物を付着させることができ、かつ、対象物上で発泡物が所定形状となるよう成形することのできる発泡性エアゾール製品を提供することを目的とする。
【課題を解決するための手段】
【０００６】
上記課題を解決する本発明には、以下の構成が主に含まれる。
【０００７】
（１）吐出した発泡物を対象物に付着させて使用される発泡性エアゾール製品であり、界面活性剤を含む原液と液化ガスとからなるエアゾール組成物が充填されたエアゾール容器と、前記エアゾール容器に取り付けられ、前記エアゾール組成物を前記対象物に吐出するための吐出孔が形成された吐出部材とを備え、前記吐出部材は、前記エアゾール容器から供給される前記エアゾール組成物を発泡させるための発泡室が内部に形成され、かつ、前記発泡室において発泡した発泡物が通過するための管路であって、前記発泡室と前記吐出孔とを連通する成形通路が形成されており、前記成形通路の水平断面は、長孔状であり、前記発泡物の２５℃における硬度は、３００〜３０００（ｍＮ）である、発泡性エアゾール製品。
【０００８】
このような構成によれば、吐出操作によって、エアゾール容器から供給されたエアゾール組成物は、発泡室において発泡する。その後、発泡物は、成形通路を通過し、吐出孔から吐出される。この際、発泡物は、所定の硬度を有するため、成形通路を通過する際に、水平断面が長孔状である成形通路の形状に沿って成形され、その形状が連続した状態で吐出孔から押し出される。吐出された発泡物は、成形された形状のまま維持されやすく、かつ、吐出部材から対象物へ移行されやすい。移行された発泡物は、吐出孔から離れることにより対象物上において所定の形状となり、通常の吐出物（たとえば略球形のフォーム）とは異なり、意匠性の優れた外観となる。
【０００９】
（２）前記界面活性剤は、アニオン性界面活性剤を含む、（１）記載の発泡性エアゾール製品。
【００１０】
このような構成によれば、発泡物は、３００〜３０００（ｍＮ）の硬度に調整されやすく、成形通路を通過する最中に、成形通路の形状に沿った形状に、より成形されやすい。
【００１１】
（３）前記原液は、水溶性高分子を含む、（１）または（２）記載の発泡性エアゾール製品。
【００１２】
このような構成によれば、発泡物は、３００〜３０００（ｍＮ）の硬度に調整されやすく、成形通路を通過する最中に、成形通路の形状に沿った形状に、より成形されやすい。
【００１３】
（４）圧縮ガスをさらに含む、（１）〜（３）のいずれかに記載の発泡性エアゾール製品。
【００１４】
このような構成によれば、発泡物は、勢いよく成形通路に導入され、成形通路の形状に沿った形状に、より成形されやすい。発泡物は、特に低温時においても所望の形状に成形され得る。
【００１５】
（５）前記成形通路の水平断面は、略Ｃ字状である、（１）〜（４）のいずれかに記載の発泡性エアゾール製品。
【００１６】
このような構成によれば、吐出孔から吐出される発泡物は、所定形状に湾曲した美観の優れた形状となる。また、発泡物は、対象物上に付着しやすくなる。
【００１７】
（６）前記成形通路は、前記エアゾール容器の中心軸を囲むように略同心円状に形成された、複数の成形小通路からなる、（１）〜（５）のいずれかに記載の発泡性エアゾール製品。
【００１８】
このような構成によれば、それぞれの成形小通路によって成形された発泡物は、それぞれの成形小通路の吐出孔から、同心円状に吐出される。この場合、吐出された発泡物は、それぞれが適度に重なり合い、たとえば花びら状の優れた美観を呈する。また、発泡物は、対象物上に付着しやすくなる。
【発明の効果】
【００１９】
本発明によれば、手のひら等の対象物に吐出した発泡物を付着させることができ、かつ、対象物上で発泡物が所定形状となるよう成形することのできる発泡性エアゾール製品を提供することができる。
【図面の簡単な説明】
【００２０】
【図１】図１は、本発明の一実施形態のエアゾール製品の斜視図である。
【図２】図２は、本発明の一実施形態のエアゾール製品のうち、吐出部材の断面形状を表した斜視図である。
【図３】図３は、本発明の一実施形態のエアゾール製品のうち、吐出部材の断面形状を表した側面図である。
【図４】図４は、本発明の一実施形態のエアゾール製品の平面図である。
【図５】図５は、本発明の一実施形態のエアゾール製品の吐出された発泡物の外観写真である。
【図６】図６は、本発明の一実施形態のエアゾール製品のうち、吐出部材の断面形状を表した斜視図である。
【図７】図７は、本発明の一実施形態のエアゾール製品のうち、吐出部材の断面形状を表した側面図である。
【発明を実施するための形態】
【００２１】
［第１の実施形態］
＜発泡性エアゾール製品＞
本発明の一実施形態の発泡性エアゾール製品（以下、単にエアゾール製品ともいう）について、図面を参照して詳細に説明する。図１は、本実施形態のエアゾール製品１の斜視図である。図２は、本実施形態のエアゾール製品１のうち、吐出部材３の断面形状を表した斜視図である。図３は、本実施形態のエアゾール製品１のうち、吐出部材３の断面形状を表した側面図である。図１〜図３に示されるエアゾール製品１は、いずれも噴射動作が行われていない状態（非噴射状態）である。本実施形態のエアゾール製品１は、吐出した発泡物を、対象物に付着させて使用することを意図した製品である。本実施形態のエアゾール組成物が吐出される対象物は特に限定されない。一例を挙げると、対象物は、手のひらや、手にひらにのせたハンカチ、タオル、スポンジや、床、テーブル、ガラス、便器、浴槽等である。
【００２２】
エアゾール製品１は、エアゾール容器２と、エアゾール容器２に取り付けられ、エアゾール組成物を対象物に吐出するための吐出孔４３ｈが形成された吐出部材３とを主に備える。エアゾール容器２は、界面活性剤を含む原液と液化ガスとからなるエアゾール組成物が充填される容器本体２１と、容器本体２１に取り付けられるバルブ機構２２とを主に備える。以下、それぞれについて説明する。
【００２３】
（エアゾール容器２）
エアゾール容器２は、容器本体２１と、容器本体２１に取り付けられるバルブ機構２２とを主に備える。なお、容器本体２１の構成は特に限定されない。そのため、以下の説明は例示であり、容器本体２１の構成は適宜設計変更され得る。
【００２４】
・容器本体２１
容器本体２１は、エアゾール組成物を充填するための耐圧容器であり、有底筒状の本体部と、本体部の上部から縮径する肩部とを含む。肩部の上部にはビード部が形成されている。ビード部は、原液を充填する際の充填口であり、原液の充填後にバルブ機構２２により閉止される。
【００２５】
容器本体２１を構成する材料は、特に限定されない。容器本体２１を構成する材料は、ポリエチレンテレフタレート、ポリエチレン等の合成樹脂、ガラス、アルミニウムやブリキなどの金属が例示される。合成樹脂を用いる場合は、たとえば、日光による内容物の劣化を防止するために紫外線吸収剤が含有されてもよく、圧縮ガスの透過を防止するために容器本体２１の外表面または内面に炭素やシリカなどが蒸着されてもよい。
【００２６】
・バルブ機構２２
バルブ機構２２は、容器本体２１のビード部に取り付けられるマウンティングカップと、マウンティングカップの中央内部に支持される弁機構を有する。弁機構は、開口部の外周部分がマウンティングカップの中央内部に支持される有底筒状のハウジングを有する。ハウジング内部には、容器本体２１の内外を連通するステム孔を有するステム２３と、ステム孔の周囲に取り付けられるステムラバー、およびステム２３とステムラバーとを上方へ付勢するスプリングとが設けられている。ステム２３とステムラバーとは、常時はスプリングにより上方へ付勢されており、ステムラバーによってステム孔がシールされている。ステム２３の上端には、吐出部材３が嵌合される。
【００２７】
（吐出部材３）
吐出部材３は、容器本体２１から供給されたエアゾール組成物を吐出するための部材である。吐出部材３は、ステム２３に取り付けられるスパウト部４と、スパウト部４の基端部４１とステム２３とを覆うカバー部５とを含む。
【００２８】
・スパウト部４
スパウト部４は、ステム２３に取り付けられる略円柱状の基端部４１と、基端部４１の上端に形成された、逆円錐台状の発泡部４２と、発泡部４２の上部に形成されたノズル部４３とからなる。本実施形態において、発泡部４２とノズル部４３とは、嵌合や溶着等により一体化されている。
【００２９】
基端部４１は、ステム２３に取り付けられる部位であり、後述する発泡部４２の内部に形成された発泡室Ｓと、ステム２３の上端部分とを連通する連通路４１ｐとが形成されている。連通路４１ｐの下端の内径は、ステム２３の上端の外径と同程度である。そのため、基端部４１は、ステム２３の上端に嵌め込まれることにより取り付けられている。
【００３０】
基端部４１の下端には、後述する操作部５２が係合するフランジ部４１ｆが形成されている。フランジ部４１ｆは、操作部５２が押し下げられることにより協働し、ステム２３を下方へ押し下げるための部位である。ステム２３が下方に押し下げられることにより、エアゾール容器２内と外部とが連通し、エアゾール組成物がエアゾール容器２からバルブ機構２２を介して吐出部材３に取り込まれる。
【００３１】
発泡部４２は、基端部４１の上端に形成された部位であり、内部に発泡室Ｓが形成されている。発泡室Ｓは、エアゾール容器２から供給されるエアゾール組成物を発泡させるための、逆円錐台状の空間である。発泡室Ｓの下端側は、上記基端部４１の連通路４１ｐの上端と連通している。一方、発泡室Ｓの上端には、後述するノズル部４３の内部に形成された複数の成形通路４３ｐの下端が接続され、開口（導入孔４３ｉ）が形成されている。
【００３２】
発泡室Ｓは、成形通路４３ｐを介して外部と連通されている。そのため、操作部５２が操作されることによりエアゾール容器２から加圧されたエアゾール組成物が吐出部材３に取り込まれると、エアゾール組成物は、発泡室Ｓにおいて、エアゾール容器２内と外部（大気圧）との圧力差に基づいて液化ガスが気化し、発泡物を形成する。発泡室Ｓの寸法は、エアゾール組成物が充分に発泡できる容積であればよく、特に限定されない。本実施形態において、発泡室Ｓの好ましい寸法は、発泡室Ｓの容積と、発泡室Ｓの最大断面積（発泡室Ｓの上端における水平断面積）とにより定義し得る。すなわち、発泡室の容積Ｖ（ｃｍ3）と、最大断面積Ｓ１（ｃｍ2）とを比較する場合において、容積Ｖ１／最大断面積Ｓ１の値（寸法比率）が、０．１〜１．０であることが好ましい。たとえば、最大断面積Ｓ１が約７ｃｍ2（直径３ｃｍの円形断面を想定）である場合、容積Ｖは、０．７〜７ｃｍ3であることが好ましい。このような寸法比率である場合、発泡室Ｓは、エアゾール容器２から取り込まれたエアゾール組成物を充分に発泡させることができ、その後、成形通路４３ｐに送ることができる。なお、上記寸法比率が０．１未満である場合、発泡室Ｓに導入されたエアゾール組成物は、たとえば充分に発泡されないまま成形通路４３ｐに送られ、成形通路４３ｐや吐出孔４３ｈにおいて発泡が持続する傾向がある。この場合、吐出後に発泡物の形状が崩れやすい傾向がある。また、上記寸法比率を超える場合、吐出操作を止めた後で発泡室Ｓ内にエアゾール組成物が残りやすく、対象物に発泡物を付着させた後であっても、吐出孔４３ｈから吐出され、吐出孔４３ｈの周囲に付着しやすい傾向がある。
【００３３】
発泡室Ｓの形状は特に限定されない。一例を挙げると、発泡室Ｓの形状は、略逆円錐台状であってもよく、カップ状であってもよい。図２および図３には、略逆円錐台状の発泡室Ｓが例示されている。本実施形態の発泡室Ｓは、発泡室Ｓに取り込まれたエアゾール組成物が適切に発泡し、均一にそれぞれの成形通路４３ｐに送られやすい点から、略逆円錐台状であることが好ましい。より具体的には、発泡室Ｓの形状が略逆円錐台状である場合、発泡室Ｓに取り込まれたエアゾール組成物は、発泡室Ｓの内周壁のテーパ面に沿って上方へ広がりながら発泡し、成形通路４３ｐの下端に到達する。この際、発泡室Ｓの内周壁は、ほぼ一定の拡径率で拡径するテーパ面が形成されている。そのため、発泡するエアゾール組成物は、テーパ面に沿って広がり、均一にそれぞれの成形通路４３ｐの下端に到達しやすい。その結果、それぞれの成形通路４３ｐで成形されるエアゾールの硬さがほぼ均一となりやすく、安定した形状の発泡物が形成されやすい。また、発泡室Ｓの形状がカップ状である場合は、発泡室Ｓ内で充分に発泡してから成形通路４３ｐに供給されるため、成形された形状が崩れにくい。
【００３４】
ノズル部４３は、発泡部４２の上部に形成された部位であり、発泡物を所定の形状に成形し、対象物上に吐出するための部位である。ノズル部４３の上端には、発泡物を吐出するための吐出孔４３ｈが形成されている。また、ノズル部４３は、発泡室Ｓと吐出孔４３ｈとを連通する成形通路４３ｐが形成されている。
【００３５】
成形通路４３ｐは、発泡室Ｓにおいて発泡した発泡物が通過するための管路である。発泡物は、成形通路４３ｐを通過する間に成形通路４３ｐの形状に沿って成形され、後述する吐出孔４３ｈから対象物に吐出される。このとき発泡物は所定の硬さを有するため、成形通路４３ｐで水平断面形状が長孔状に成形され、先端の吐出孔４３ｈから押し出されて薄板状となって対象物上に付着する。なお、成形通路４３ｐの水平断面形状は、好適には、短手方向の最小長さが０．１ｍｍ以上であることが好ましく、０．２ｍｍ以上であることがより好ましい。また、短手方向の最大長さは、３ｍｍ以下であることが好ましく、２ｍｍ以下であることがより好ましい。また、長手方向の最小長さは、２ｍｍ以上であることが好ましく、３ｍｍ以上であることがより好ましい。また、長手方向の最大長さは、３０ｍｍ以下であることが好ましく、２５ｍｍ以下であることがより好ましい。短手方向の最小長さが０．１ｍｍ未満である場合、成形される発泡物の強度が小さく、成形された形状を維持しにくい傾向がある。また、発泡物は、対象物上に付着しにくく、所定の形状になりにくい傾向がある。一方、短手方向の最大長さが３ｍｍを超える場合、発泡物は、薄板状となりにくく意匠性の優れた発泡物が形成されにくい傾向がある。また、長手方向の最小長さが２ｍｍ未満である場合、成形される発泡物の強度が小さく、成形された形状を維持しにくい傾向がある。また、発泡物は、対象物上に付着しにくく、所定の形状になりにくい傾向がある。一方、長手方向の最大長さが３０ｍｍを超える場合、意匠性の優れた発泡物が形成されにくい傾向がある。
【００３６】
成形通路４３ｐの水平断面形状は、長孔状であればよく、適宜湾曲した長孔であってもよい。成形通路４３ｐの水平断面が、湾曲した長孔（略Ｃ字状）である場合、吐出孔４３ｈから、湾曲した形状の発泡物が吐出される。このような発泡物は、所定形状に湾曲しており、花びらのような優れた美観を呈する。また、発泡物は、対象物上に付着しやすくなる。さらに、たとえばこのような湾曲した扁平な複数の発泡物が折り重なるように吐出される場合、得られた発泡物は、バラやツバキといった花に似た形状を呈する。
【００３７】
成形通路４３ｐの吐出方向の長さは特に限定されない。一例を挙げると、成形通路４３ｐは、発泡室Ｓの上端と連通した一端（導入孔４３ｉ）から、吐出孔４３ｈの形成された他端までの長さが２ｍｍ以上であることが好ましく、３ｍｍ以上であることがより好ましい。成形通路４３ｐの長さが２ｍｍ未満である場合、成形通路の形状に沿った発泡物が得られにくくなる傾向がある。また、成形通路４３ｐの長さは、３０ｍｍ以下であることが好ましく、２５ｍｍ以下であることがより好ましい。成形通路４３ｐの長さが３０ｍｍを超える場合、発泡物は、吐出操作を止めてからも吐出孔４３ｈからしばらく出続けやすく、ノズル部４３から離れにくくなる傾向がある。
【００３８】
成形通路４３ｐの吐出方向の形状は特に限定されない。一例を挙げると、成形通路４３ｐは、直線状であってもよく、湾曲してもよい。成形通路４３ｐの幅は、発泡室Ｓ側の導入孔４３ｉから先端の吐出孔４３ｈにかけて同一でもよく、吐出孔４３ｈに向かってテーパ状に広くなっていてもよい。本実施形態では、成形通路４３ｐの形状が直線状であり、幅が導入孔４３ｉから吐出孔４３ｈにかけてテーパ状に広くなっている成形通路４３ｐが例示されている。成形通路４３ｐの形状が直線状である場合、発泡物は対象物に勢いよく吐出されてノズル部４３から離れやすい。また、成形通路４３ｐの形状は吐出孔に向かってテーパ状に広くなっている場合は、発泡物が成形通路４３ｐから吐出されやすく、ノズル部４３から離れやすい。なお、成形通路４３ｐの形状は吐出孔に向かってテーパ状に狭くなっていてもよく、この場合、成形された発泡物の硬度が高くなりやすく、吐出した対象物上でその形状が維持されやすい。
【００３９】
成形通路４３ｐの数は特に限定されない。成形通路４３ｐは、１つであってもよく、複数であってもよい。図４は、本実施形態のエアゾール製品１の平面図である。図４に示されるように、本実施形態のノズル部４３は、種々の寸法の吐出孔４３ｈが形成された計１５個の小ノズル（第１小ノズル４３ａ、第２小ノズル４３ｂおよび第３小ノズル４３ｃ）からなり、それぞれの小ノズルには、それぞれの成形通路（成形小通路４３ｑ）が形成されている。
【００４０】
成形小通路４３ｑの配置は特に限定されない。一例を挙げると、成形小通路４３ｑは、それぞれ規則的に配置されていてもよく、不規則的に配置されていてもよい。本実施形態のノズル部４３は、計１５個の成形小通路４３ｑが、ノズル部４３の中心（エアゾール容器２の中心軸）を囲むように、３個の第１小ノズル４３ａが略同心円Ｃ１上に配置され、それらを囲むように、５個の第２小ノズル４３ｂが略同心円Ｃ２上に配置され、さらにそれらを囲むように、７個の第３小ノズル４３ｃが略同心円Ｃ３上に配置されている。このように、複数の小ノズルおよび成形小通路４３ｑがエアゾール容器２の中心軸を囲むように略同心円状に形成されている場合、扁平な複数の発泡物が、これら成形小通路４３ｑの先端の吐出孔４３ｈから、折り重なるように吐出される。その結果、得られた発泡物は、バラやツバキといった花に似た形状を呈する。
【００４１】
ノズル部４３の説明に戻り、図２または図３に示されるように、ノズル部４３の上端は、吐出孔４３ｈが形成されている。本実施形態において、吐出孔４３ｈの開口方向は特に限定されない。吐出孔４３ｈは、エアゾール容器２の軸方向に対して水平方向に開口していてもよく、所定の角度だけ傾斜した方向に開口していてもよい。本実施形態のノズル部４３は、図２に示されるように、略同心円状に設けられたそれぞれの小ノズルが、エアゾール容器２の中心軸に向かって下降する傾斜面を形成するよう開口している。このように、吐出孔４３ｈの開口方向が傾斜している場合、吐出された発泡物は、対象物に付着した後、ノズル部４３から離されやすい。対象物に付着した発泡物は、上下が反転し、ノズル部４３と切り離された方向が、上面となる。本実施形態のエアゾール製品１によれば、発泡物は、成形通路４３ｐを通過する間に硬さが調整されており、かつ、ノズル部４３から離されやすいため、対象物上でも成形された形状が維持されやすい。傾斜面の角度は特に限定されない。一例を挙げると、傾斜面の角度は、中心軸に対して４５〜８０°である。
【００４２】
また、それぞれの小ノズルの長さは特に限定されない。それぞれの小ノズルの長さは、同じであってもよく、異なっていてもよい。それぞれの小ノズルの長さが同じである場合、それぞれの小ノズルの水平位置は同程度となり得る。本実施形態のノズル部４３は、図２に示されるように、第３小ノズル４３ｃの長さが第２小ノズル４３ｂの長さよりも長くなるよう形成され、第２小ノズル４３ｂの長さが第１小ノズル４３ａの長さよりも長くなるよう形成されている。その結果、ノズル部４３全体では、ノズル部４３は、容器本体２１の軸方向の中心において最も落ち窪んだ逆テーパ状（すり鉢状）となっている。このように、ノズル部４３全体が逆テーパ状となっている場合、吐出された発泡物は、対象物に付着した後、ノズル部４３からより離されやすい。対象物に付着した発泡物は、上下が反転し、ノズル部４３と切り離された方向が、上面となる。本実施形態のエアゾール製品１によれば、発泡物は、成形通路４３ｐを通過する間に硬さが調整されており、かつ、ノズル部４３から離されやすいため、対象物上でも成形された形状が維持されやすく、バラやツバキといった花に似た形状の発泡物が、対象物上でも得られる。さらに、それぞれの小ノズルの長さは、外周側が内周側よりも長い。これにより、小ノズルの先端は、中心軸方向に向かって下方に傾斜した傾斜面が形成されている。このようなノズル部４３の先端形状によれば、吐出された発泡物は、対象物に付着した後、ノズル部４３からより離されやすい。
【００４３】
図５は、本実施形態のエアゾール製品１の対象物Ｏ（手のひら）に吐出された発泡物Ｆの外観写真である。図５に示されるように、発泡物Ｆは、対象物Ｏ上において、バラの花に似た形状を呈している。領域Ｒ１は、第１小ノズル４３ａから吐出された発泡物により形成された領域であり、領域Ｒ２は、第２小ノズル４３ｂから吐出された発泡物により形成された領域であり、領域Ｒ３は、第３小ノズル４３ｃから吐出された発泡物により形成された領域である。本実施形態のエアゾール製品１によれば、発泡物Ｆは、対象物Ｏに向けて吐出し、対象物Ｏに付着することにより使用者が目視できる面が上下に反転する。しかしながら、発泡物は、ノズル部４３がエアゾール容器の中心軸に向かって下降する傾斜面を形成するように開口しているため、ノズル部４３から離されやすい。そのため、発泡物は、対象物Ｏ上においても、それぞれの小ノズルの配置に基づいて成形された形状が維持される。その結果、本実施形態のエアゾール製品１によれば、このような美観の優れた形状の発泡物Ｆが、対象物Ｏ上に作製され得る。
【００４４】
・カバー部５
カバー部５は、スパウト部４の基端部４１とステム２３とを覆う部位であり、容器本体２１に取り付けられている。カバー部５は、カバー本体５１と、カバー本体５１の内側に取り付けられた操作部５２とからなる。
【００４５】
カバー本体５１は、円盤状の天面部５３と、天面部５３の外周縁から下方に延設された側面部５４とからなる。天面部５３は、一部が切り欠かれており、後述する操作部５２が露出している。側面部５４は、容器本体２１にカバー部５を取り付けるための部位である。側面部５４の内周面には、容器本体２１のマウンティングカップと係合するための係合片（図示せず）が設けられている。側面部５４の内周面のうち、天面部５３との接続位置近傍には、操作部５２の一端が挿入される挿入穴５４ｈが設けられている。
【００４６】
操作部５２は、扁平な板状の部材であり、カバー本体５１の挿入穴５４ｈに挿入される一端と、使用者によって押し下げられる他端とを有する。他端は、天面部５３の切欠きから露出している。操作部５２は、カバー本体５１が容器本体２１に取り付けられた状態において、天面部５３の下面と、フランジ部４１ｆの上面との間に配置される。他端が使用者によって押し下げられることにより、操作部５２は、フランジ部４１ｆと当接し、その後、さらに押し下げられることにより、吐出部材３を押し下げて、バルブ機構２２を作動させる。これにより、エアゾール容器２内のエアゾール組成物は、吐出部材３の発泡室Ｓに取り込まれる。
【００４７】
（エアゾール組成物）
次に、エアゾール容器２に充填されるエアゾール組成物について説明する。エアゾール組成物は、界面活性剤を含む原液と液化ガスとからなる。
【００４８】
・原液
原液は、界面活性剤を含む。界面活性剤は、エアゾール容器２内において原液中に液化ガスを乳化または分散させるとともに、エアゾール組成物が後述する発泡室Ｓに取り込まれる際に液化ガスの気化により発泡し、発泡物を形成するために配合される。原液は、界面活性剤のほか、適宜有効成分等を含んでもよい。
【００４９】
界面活性剤は特に限定されない。一例を挙げると、界面活性剤は、アニオン性界面活性剤、両性界面活性剤、カチオン性界面活性剤等のイオン性界面活性剤、非イオン性界面活性剤、シリコーン系界面活性剤等である。本実施形態の界面活性剤は、発泡物が所定の硬度に調整されやすく、成形通路４３ｐを通過する最中に成形通路４３ｐの形状に沿って成形されやすい点から、アニオン性界面活性剤を含有することが好ましい。
【００５０】
界面活性剤の含有量は特に限定されない。界面活性剤の含有量は、界面活性剤の種類にも依る。一例を挙げると、界面活性剤の含有量は、原液中０．１質量％以上であることが好ましく、１質量％以上であることがより好ましい。また、界面活性剤の含有量は、４０質量％以下であることが好ましく、３５質量％であることがより好ましい。界面活性剤の含有量が０．１質量％未満である場合、発泡が不充分になり、成形通路４３ｐに沿った形状に成形されにくい傾向がある。一方、界面活性剤の含有量が４０質量％を超える場合、得られる発泡物が対象物（たとえば皮膚）上に残りやすく、べたつくなど使用感が低下する傾向がある。
【００５１】
アニオン性界面活性剤は特に限定されない。一例を挙げると、アニオン性界面活性剤は、ラウリルリン酸カリウム、ラウリルリン酸ナトリウム等のアルキルリン酸塩；ヤシ油脂肪酸サルコシントリエタノールアミン、ヤシ油脂肪酸サルコシンナトリウムなとのサルコシン塩；ＰＯＥラウリルエーテルリン酸ナトリウム等のポリオキシエチレンアルキルエーテルリン酸塩；ラウリル硫酸アンモニウム、ラウリル硫酸カリウム、ラウリル硫酸ナトリウム、ラウリル硫酸トリエタノールアミン、セチル硫酸ナトリウム等のアルキル硫酸塩；ＰＯＥラウリルエ一テル硫酸ナトリウム、ＰＯＥラウリルエーテル硫酸トリエタノールアミン、ＰＯＥアルキルエーテル硫酸ナトリウム、ＰＯＥアルキルエーテル硫酸トリエタノールアミン等のポリオキシエチレンアルキルエーテル硫酸塩；ＰＯＥラウリルエーテル酢酸カリウム、ＰＯＥラウリルエーテル酢酸ナトリウム、ＰＯＥトリデシルエーテル酢酸カリウム、ＰＯＥトリデシルエーテル酢酸ナトリウム等のアルキルエーテルカルボン酸塩；ラウリルスルホ酢酸ナトリウム、テトラデセンスルホン酸ナトリウム、スルホコハク酸ジオクチルナトリウム、ジアルキルスルホコハク酸ナトリウム、アルキルナフタレンスルホン酸ナトリウム、アルキルジフェニルエーテルジスルホン酸ナトリウム、アルカンスルホン酸ナトリウム、ドデシルベンゼンスルホン酸、ドデシルベンゼンスルホン酸ナトリウム等のスルホン酸塩等である。また、アニオン性界面活性剤は、Ｎ−ヤシ油脂肪酸アシル−Ｌ−グルタミン酸トリエタノールアミン、Ｎ−ヤシ油脂肪酸アシル−Ｌ−グルタミン酸カリウム、Ｎ−ヤシ油脂肪酸アシル−Ｌ−グルタミン酸ナトリウム、Ｎ−ラウロイル−Ｌ−グルタミン酸トリエタノールアミン、Ｎ−ラウロイル−Ｌ−グルタミン酸カリウム、Ｎ−ラウロイル−Ｌ−グルタミン酸ナトリウム、Ｎ−ミリストイル−Ｌ−グルタミン酸カリウム、Ｎ−ミリストイル−Ｌ−グルタミン酸ナトリウム、Ｎ−ステアロイル−Ｌ−グルタミン酸ナトリウム等のＮ−アシルグルタミン酸塩；Ｎ−ヤシ油脂肪酸アシルグリシンカリウム、Ｎ−ヤシ油脂肪酸アシルグリシンナトリウム等のＮ−アシルグリシン塩；Ｎ−ヤシ油脂肪酸アシル−ＤＬ−アラニントリエタノールアミン等のＮ−アシルアラニン塩；ラウロイルメチルアラニンナトリウム等のアシルアラニン塩等のアミノ酸型界面活性剤が用いられ得る。これらの中でも、アニオン性界面活性剤は、発泡物の硬さおよび弾力を調整しやすく、かつ、成形通路４３ｐで成形しやすい発泡物が得られやすい点から、アルキルリン酸塩やサルコシン塩であることが好ましい。
【００５２】
アニオン性界面活性剤の含有量は特に限定されない。アニオン性界面活性剤の含有量は、原液中１質量％以上であることが好ましく、３質量％以上であることがより好ましい。また、アニオン性界面活性剤の含有量は、４０質量％以下であることが好ましく、３０質量％以下であることがより好ましい。アニオン性界面活性剤の含有量が１質量％未満である場合、発泡物の硬さが不充分になり、成形通路４３ｐで所定の形状に成形されにくく、対象物上で崩れやすくなる傾向がある。一方、アニオン性界面活性剤の含有量が４０質量％を超える場合、得られる発泡物が対象物（たとえば皮膚）上に残りやすく、べたつくなど使用感が低下する傾向がある。なお、本実施形態において、アニオン性界面活性剤として水やアルコール類等の溶剤に溶解したものが用いられる場合、アニオン性界面活性剤の含有量は、これら溶剤を除いたアニオン性界面活性剤の含有量を指す。
【００５３】
両性界面活性剤は、発泡状態を調整する、洗浄効果を向上させる等の目的で用いられ得る。両性界面活性剤は特に限定されない。一例を挙げると、両性界面活性剤は、ラウリルジメチルアミノ酢酸ベタイン（ラウリルベタイン）、ステアリルベタイン、ラウリン酸アミドプロピルベタイン、ラウリルヒドロキシスルホベタイン、ステアリルジメチルアミノ酢酸ベタイン、ドデシルアミノメチルジメチルスルホプロピルベタイン、オクタデシルアミノメチルジメチルスルホプロピルベタイン等のアルキルベタイン；コカミドプロピルベタイン、コカミドプロピルヒドロキシスルタイン等の脂肪酸アミドプロピルベタイン等のベタイン型；２−アルキル−Ｎ−カルボキシメチル−Ｎ−ヒドロキシエチルイミダゾリニウムベタイン等のアルキルイミダゾール型；ラウロイルグルタミン酸ナトリウム、ラウロイルグルタミン酸カリウム、ラウロイルメチル−β−アラニン等のアミノ酸型；ラウリルジメチルアミンＮ−オキシド、オレイルジメチルアミンＮ−オキシド等のアミンオキシド型；等である。
【００５４】
両性界面活性剤の含有量は特に限定されない。一例を挙げると、両性界面活性剤の含有量は、原液中０．１質量％以上であることが好ましく、０．３質量％以上であることがより好ましい。また、両性界面活性剤の含有量は、１０質量％以下であることが好ましく、８質量％以下であることがより好ましい。両性界面活性剤の含有量が０．１質量％未満である場合、両性界面活性剤を含有する効果が得られにくくなる傾向がある。一方、両性界面活性剤の含有量が１０質量％を超える場合、得られる発泡物が対象物（たとえば皮膚）上に残りやすく、べたつくなど使用感が低下する傾向がある。
【００５５】
カチオン性界面活性剤は、発泡物の硬さや弾性を調整する等の目的で用いられ得る。カチオン性界面活性剤は特に限定されない。一例を挙げると、カチオン性界面活性剤は、塩化ステアリルトリメチルアンモニウム等のアルキルアンモニウム塩、アルキルベンジルアンモニウム塩等である。
【００５６】
カチオン性界面活性剤の含有量は特に限定されない。一例を挙げると、カチオン性界面活性剤の含有量は、原液中０．１質量％以上であることが好ましく、０．３質量％以上であることがより好ましい。また、カチオン性界面活性剤の含有量は、１０質量％以下であることが好ましく、８質量％以下であることがより好ましい。カチオン性界面活性剤の含有量が０．１質量％未満である場合、カチオン性界面活性剤を含有する効果が得られにくくなる傾向がある。一方、カチオン性界面活性剤の含有量が１０質量％を超える場合、得られる発泡物が対象物（たとえば皮膚）上に残りやすく、べたつくなど使用感が低下する傾向がある。
【００５７】
非イオン性界面活性剤は、発泡状態を調整する、アニオン性界面活性剤の析出防止効果を補助する、洗浄効果を向上させる等の目的で用いられ得る。非イオン性界面活性剤は特に限定されない。一例を挙げると、非イオン性界面活性剤は、ＰＯＥ・ＰＯＰセチルエーテル、ＰＯＥ・ＰＯＰデシルテトラデシルエーテル等のポリオキシエチレンポリオキシプロピレンアルキルエーテル；ＰＯＥセチルエーテル、ＰＯＥステアリルエーテル、ＰＯＥオレイルエーテル、ＰＯＥラウリルエーテル、ＰＯＥベヘニルエーテル、ＰＯＥオクチルドデシルエーテル、ＰＯＥイソセチルエーテル、ＰＯＥイソステアリルエーテル等のポリオキシエチレンアルキルエーテル等のエーテル型；モノステアリン酸ポリエチレングリコール等のポリエチレングリコール脂肪酸エステル；ＰＯＥ硬化ヒマシ油等のポリオキシエチレン硬化ヒマシ油；モノステアリン酸ＰＯＥグリセリル、モノオレイン酸ＰＯＥグリセリル等のポリオキシエチレングリセリン脂肪酸エステル；ステアリン酸ＰＯＥセチルエーテル、イソステアリン酸ＰＯＥラウリルエーテル等のポリオキシエチレンアルキルエーテル脂肪酸エステル；モノヤシ油脂肪酸ＰＯＥソルビタン、モノステアリン酸ＰＯＥソルビタン、モノオレイン酸ＰＯＥソルビタン、トリイソステアリン酸ＰＯＥソルビタン等のポリオキシエチレンソルビタン脂肪酸エステル；モノラウリン酸ＰＯＥソルビット、テトラステアリン酸ＰＯＥソルビット、テトラオレイン酸ＰＯＥソルビット等のポリオキシエチレンソルビット脂肪酸エステル；モノラウリン酸ヘキサグリセリル、モノミリスチン酸ヘキサグリセリル、モノラウリン酸ペンタグリセリル、モノミリスチン酸ペンタグリセリル、モノオレイン酸ペンタグリセリル、モノステアリン酸ペンタグリセリル、モノラウリン酸デカグリセリル、モノミリスチン酸デカグリセリル、モノステアリン酸デカグリセリル、モノイソステアリン酸デカグリセリル、モノオレイン酸デカグリセリル、モノリノール酸デカグリセリル等のポリグリセリン脂肪酸エステル；ＰＯＥラノリンアルコール等のポリオキシエチレンラノリンアルコール等のエステル型；等である。
【００５８】
非イオン性界面活性剤の含有量は特に限定されない。一例を挙げると、非イオン性界面活性剤の含有量は、原液中０．１質量％以上であることが好ましく、０．３質量％以上であることがより好ましい。また、非イオン性界面活性剤の含有量は、１０質量％以下であることが好ましく、８質量％以下であることがより好ましい。非イオン性界面活性剤の含有量が０．１質量％未満である場合、非イオン性界面活性剤を含有する効果が得られにくくなる傾向がある。一方、非イオン性界面活性剤の含有量が１０質量％を超える場合、得られる発泡物が対象物（たとえば皮膚）上に残りやすく、べたつくなど使用感が低下する傾向がある。
【００５９】
シリコーン系界面活性剤は、発泡状態を調整する等の目的で用いられ得る。シリコーン系界面活性剤は特に限定されない。一例を挙げると、シリコーン系界面活性剤は、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体等である。
【００６０】
シリコーン系界面活性剤の含有量は特に限定されない。一例を挙げると、シリコーン系界面活性剤の含有量は、原液中０．１質量％以上であることが好ましく、０．３質量％以上であることがより好ましい。また、シリコーン系界面活性剤の含有量は、１０質量％以下であることが好ましく、８質量％以下であることがより好ましい。シリコーン系界面活性剤の含有量が０．１質量％未満である場合、シリコーン系界面活性剤を含有する効果が得られにくくなる傾向がある。一方、シリコーン系界面活性剤の含有量が１０質量％を超える場合、得られる発泡物が対象物（たとえば皮膚）上に残りやすく、べたつくなど使用感が低下する傾向がある。
【００６１】
原液の調製方法は特に限定されない。一例を挙げると、原液は、界面活性剤と、必要に応じて後述する有効成分等の任意成分を、適宜、水や多価アルコールに溶解させて調製することができる。なお、原液には、粉体を分散させてもよい。
【００６２】
原液の含有量は、エアゾール組成物中７０質量％以上であることが好ましく、７５質量％以上であることがより好ましい。一方、原液の含有量は、９７質量％以下であることが好ましく、９５質量％以下であることがより好ましい。原液の含有量が７０質量％未満である場合、得られる発泡物の泡が粗くなりやすく、泡質が低下しやすくなる傾向がある。一方、原液の含有量が９７質量％を超える場合、吐出された発泡物が発泡しにくく、所定の形状に成形しにくくなる傾向がある。
【００６３】
・液化ガス
液化ガスは、エアゾール容器２内では液体であり、外部（発泡室Ｓ）に吐出されると気化して、原液を発泡させて成形通路４３ｐを通過した発泡物を対象物上で所定の形状に成形する等の目的で含有される。液化ガスは特に限定されない。一例を挙げると、液化ガスは、プロパン、イソブタン、ノルマルブタンおよびこれらの混合物からなる液化石油ガス、トランス−１，３，３，３−テトラフルオロプロパ−１−エン、トランス−２，３，３，３−テトラフルオロプロパ−１−エンなどのハイドロフルオロオレフィン、ジメチルエーテル、およびこれらの混合物である。これらの中でも、成形通路４３ｐに沿った形状に、より成形しやすい硬さや弾性の発泡物が得られやすい点から、液化ガスは、液化石油ガスであることが好ましい。液化ガスの２０℃における飽和蒸気圧は、発泡室Ｓ内で液化ガスのほとんどを気化させ、吐出孔４３ｈから吐出されて成形された発泡物を崩れにくくする点から、０．３〜０．６ＭＰａであることが好ましく、０．３５〜０．５５ＭＰａであることがより好ましい。
【００６４】
本実施形態のエアゾール組成物は、上記液化ガスに加え、手のひら等の対象物に吐出した際に、発泡物から適度に水がしみ出しやすく、発泡物が対象物に付着しやすくなり、所定の形状に成形しやすい点から、ハイドロフルオロオレフィンが含有されてもよい。
【００６５】
液化ガスの含有量は特に限定されない。一例を挙げると、液化ガスは、エアゾール組成物中３質量％以上であることが好ましく、５質量％以上であることがより好ましい。また、液化ガスは、３０質量％以下であることが好ましく、２５質量％以下であることがより好ましい。液化ガスの含有量が３質量％未満である場合、エアゾール組成物は、発泡が不充分になり低温時に吐出された発泡物が発泡しにくくなる傾向がある。一方、液化ガスの含有量が３０質量％を超える場合、エアゾール組成物は、吐出孔４３ｈから吐出された後でも発泡が継続しやすく、発泡物の形状が崩れやすくなる傾向がある。
【００６６】
本実施形態のエアゾール組成物は、使用者によって操作部５２が操作されることにより、容器本体２１から、吐出部材３の発泡室Ｓに取り込まれる。発泡室Ｓにおいて発泡したエアゾール組成物（発泡物）は、成形通路４３ｐを通過しながら成形通路４３ｐの形状に沿って成形され、吐出孔４３ｈから対象物に向けて吐出される。発泡物はノズル部４３から離れ、対象物に付着することにより所定の形状になる。
【００６７】
より具体的には、成形通路４３ｐにより所定の形状に成形される発泡物が得られやすい泡の特性としては、２５℃における泡の硬度が、３００ｍＮ以上となるよう調整されればよく、４００ｍＮ以上となるよう調整されることが好ましい。また、発泡物の２５℃における硬度は、３０００ｍＮ以下となるよう調整されればよく、２５００ｍＮ以下となるよう調整されることが好ましい。硬度が３００ｍＮ未満である場合、発泡物は、成形通路４３ｐを通過しても充分に成形されにくく、対象物上で所定の形状になりにくい傾向がある。一方、硬度が３０００ｍＮを超える場合、発泡物は、繊細な形状に成形されにくい傾向がある。なお、硬度を上記範囲内に調整する方法は特に限定されない。一例を挙げると、硬度は、原液の組成、液化ガスの組成、原液と液化ガスとの配合割合等を適宜調整することにより、達成し得る。発泡物は上記範囲内の硬度を有しているため、成形通路４３ｐの形状に沿って成形され、吐出部材３から容易に離されやすく、対象物に付着させやすい。また、発泡物は、吐出部材３から容易に離されやすいため、吐出部材３のそれぞれの小ノズルの配置や形状等に基づいて、種々の形状が保持されたまま、対象物に付着しやすい。その結果、たとえば、発泡物は、ノズル部４３から離れ、対象物上でバラやツバキといった花に似た形状となり得る。なお、本実施形態において、硬度を測定する方法は特に限定されない。一例を挙げると、発泡物の硬度は、２５℃に調整したエアゾール組成物を有底筒状のカップに吐出してカップ内を発泡物で満たし、この発泡物に荷重をかけて圧縮したときに、発泡物が破断して圧縮量に対して荷重が大きく変化したときの値（破断点）を、ＥＺ−Ｔｅｓｔ（（株）島津製作所）を用いて測定することができる。
【００６８】
また、皮膚に塗布したときにクッション感が得られ、もっちりした発泡物が得られやすい泡の特性としては、２５℃における泡の弾性が、３００Ｎ／ｍｍ以上となるよう調整されることが好ましく、４００Ｎ／ｍｍとなるよう調整されることがより好ましい。また、発泡物の２５℃における弾性は、２０００Ｎ／ｍｍ以下となるよう調整されることが好ましく、１５００Ｎ／ｍｍ以下となるよう調整されることがより好ましい。弾性が３００Ｎ／ｍｍ未満である場合、発泡物は、クッション感が得られにくい傾向がある。一方、弾性が２０００Ｎ／ｍｍを超える場合、発泡物は、対象物に付着しにくくなり、また、塗り伸ばしにくくなる傾向がある。なお、弾性を上記範囲内に調整する方法は特に限定されない。一例を挙げると、弾性は、原液の組成、液化ガスの組成、原液と液化ガスとの配合割合、炭酸ガスの有無、等を適宜調整することにより、達成し得る。なお、本実施形態において、泡の弾性を測定する方法は特に限定されない。一例を挙げると、発泡物の弾性は、２５℃に調整したエアゾール組成物を有底筒状のカップに吐出してカップ内を発泡物で満たし、この発泡物に荷重をかけて圧縮したときに、発泡物から受ける反発力を、ＥＺ−Ｔｅｓｔ（（株）島津製作所）を用いて測定することができる。
【００６９】
（原液の任意成分）
次に、本実施形態に適宜含有され得る任意成分について説明する。本実施形態の原液は、界面活性剤以外に、適宜、水溶性高分子、多価アルコール、単糖類、水、有効成分、１価アルコール、油分、粉体等が含有されてもよい。
【００７０】
水溶性高分子は、発泡物の硬さや弾性を調整して成形通路４３ｐで成形しやすくする等の目的で、好適に含有され得る。水溶性高分子は特に限定されない。一例を挙げると、水溶性高分子は、ヒドロキシエチルセルロースジメチルジアリルアンモニウムクロリド（ポリクオタニウム４）、塩化ジメチルジアクリルアンモニウム・アクリルアミド共重合体（ポリオクタニウム７）、塩化−Ｏ−［２−ヒドロキシ−３−（トリメチルアンモニオ）プロピル］ヒドロキシエチルセルロース（ポリクオタニウム１０）、塩化ジメチルジアリルアンモニウム・アクリル酸共重合体（ポリクオタニウム２２）、塩化−Ｏ−［２−ヒドロキシ−３−（ラウリルジメチルアンモニオ）プロピル］ヒドロキシエチルセルロース（ポリオクタニウム２４）、アクリルアミド・アクリル酸・塩化ジメチルジアリルアンモニウム共重合体（ポリクオタニウム３９）、２−メタクリロイルオキシエチルホスホリルコリン・メタクリル酸ブチル共重合体液（ポリクオタニウム５１）、Ｎ，Ｎ−ジメチルアミノエチルメタクリル酸ジエチル硫酸塩・Ｎ，Ｎ−ジメチルアクリルアミド・ジメタクリル酸ポリエチレングリコール（ポリクオタニウム５２）、２−メタクリロイルオキシエチルホスホリルコリン・メタクリル酸ステアリル共重合体（ポリクオタニウム６１）、メタクリロイルオキシエチレンホスホリルコリン、メタクリル酸ブチル及びメタクリル酸ナトリウム（ポリクオタニウム６５）、ポリビニルピロリドン・Ｎ，Ｎ−ジメチルアミノエチルメタクリル酸共重合体ジエチル硫酸塩、ポリビニルピロリドン・Ｎ，Ｎ−ジメチルアミノエチルメタクリル酸共重合体ジメチル硫酸塩、ポリビニルピロリドン・Ｎ，Ｎ−ジメチルアミノエチルメタクリル酸共重合体塩酸塩、ヒドロキシエチルセルロースヒドロキシプロピルトリメチルアンモニウムクロリドエーテル等のカチオン性ポリマー；ヒドロキシエチルセルロース、ヒドロキシプロピルセルロース、ヒドロキシプロピルメチルセルロース、カルボキシメチルセルロースナトリウム等のセルロース系多糖類；カラギーナン、キサンタンガム、アラビアゴム、トラガントゴム、カチオン化グアガム、グアガム、ジェランガム、ローカストビーンガム等のガム質；ポリエーテルウレタン、ゼラチン、デキストラン、カルボキシメチルデキストランナトリウム、デキストリン、ペクチン、デンプン、トウモロコシデンプン、コムギデンプン、アルギン酸ナトリウム、変性ポテトスターチ、ヒアルロン酸、ヒアルロン酸ナトリウム、ポリビニルアルコール、ポリビニルピロリドン、カルボキシビニルポリマー等である。
【００７１】
水溶性高分子が含有される場合、水溶性高分子の含有量は、原液中０．００５質量％以上であることが好ましく、０．０１質量％以上であることがより好ましい。また、水溶性高分子の含有量は、５質量％以下であることが好ましく、３質量％以下であることがより好ましい。水溶性高分子の含有量が０．００５質量％未満である場合、発泡物は、硬さが上記範囲となるよう調整されにくく、所定の形状に成形されにくくなる。一方、水溶性高分子の含有量が５質量％を超える場合、原液の粘度が高くなりすぎ、原液と液化ガスとが乳化しにくくなったり、べたつきやすくなる等、使用感が低下する傾向がある。
【００７２】
多価アルコールは、保湿剤以外にも、アニオン性界面活性剤や両性界面活性剤などの析出を防止するなどの目的で用いられる。多価アルコールは特に限定されない。一例を挙げると、多価アルコールは、プロピレングリコール、１，３−ブチレングリコール、ヘキシレングリコール、グリセリン、ジプロピレングリコール、ジグリセリンなどの２〜４価アルコールである。
【００７３】
多価アルコールが含有される場合、多価アルコールの含有量は、原液中１質量％以上であることが好ましく、３質量％以上であることがより好ましい。また、多価アルコールの含有量は、原液中３０質量％以下であることが好ましく、２５質量％以下であることがより好ましい。多価アルコールの含有量が１質量％未満である場合、アニオン性界面活性剤などが炭酸ガスなどの影響により析出しやすくなる傾向がある。一方、多価アルコールの含有量が３０質量％を超える場合、発泡物は、硬さが不充分になって成形されにくく、べたつくなど使用感が悪くなる傾向がある。
【００７４】
単糖類は、界面活性剤（たとえばアニオン性界面活性剤や両性界面活性剤）等の析出を防止する等の目的で、適宜含有され得る。単糖類は特に限定されない。一例を挙げると、多糖類は、エリスリトール、アラビトール、ガラクチトール、グルシトール、マルチトール、マンニトール、ソルビトール、キシリトール等の糖アルコール；エリトリトール、Ｄ−エリトロース、Ｄ−トレオース等のテトロース類；Ｄ−アラビノース、Ｌ−アラビノース、Ｄ−キシロース、Ｄ−リキソース、Ｌ−リキソース、Ｄ−リボース、Ｄ−キシルロース、Ｌ−キシルロース、Ｄ−リブロース、Ｌ−リブロース等のペントース類；Ｄ−アルトロース、Ｌ−アルトロース、Ｄ−ガラクトース、Ｌ−ガラクトース、Ｄ−グルコース、Ｄ−タロース、Ｄ−マンノース、Ｌ−ソルボース、Ｄ−タガトース、Ｄ−プシコース、Ｄ−フルクトース、Ｄ−マンノース等のヘキソース類等である。
【００７５】
単糖類が含有される場合、単糖類の含有量は、原液中１質量％以上であることが好ましく、３質量％以上であることがより好ましい。また、単糖類の含有量は、３０質量％以下であることが好ましく、２５質量％以下であることがより好ましい。単糖類の含有量が１質量％未満である場合、アニオン性界面活性剤などが析出しやすくなる傾向がある。一方、単糖類の含有量が３０質量％を超える場合、発泡物は、硬さが不充分になって成形されにくく、べたつくなど使用感が悪くなる傾向がある。
【００７６】
水は、原液の主溶媒であり、原液中に含有した界面活性剤によって液化ガスと乳化され、エアゾール容器２から外部に吐出されると液化ガスの気化に伴い発泡して発泡物（フォーム）を形成する。水は、精製水、イオン交換水、海洋深層水等が例示される。
【００７７】
水が含有される場合、水の含有量は、原液中３０質量％以上であることが好ましく、４０質量％以上であることがより好ましい。また、水の含有量は、９５質量％以下であることが好ましく、９０質量％以下であることがより好ましい。水の含有量が３０質量％未満である場合、エアゾール組成物は、発泡しにくくなる傾向がある。一方、水の含有量が９５質量％を超える場合、エアゾール組成物は、その他の成分を含有しにくくなる。
【００７８】
有効成分は特に限定されない。一例を挙げると、有効成分は、各種法定色素、顔料、天然色素等の各種着色剤；天然香料、合成香料等の各種香料；バラエキス、ユリエキス、ツバキエキス、ユーカリエキス、セージエキス、茶エキス、ローヤルゼリーエキス等の各種抽出液や濃縮したエキス；レチノール、酢酸レチノール、パルミチン酸レチノール、パントテン酸カルシウム、アスコルビン酸ナトリウム、ｄｌ−α−トコフェロール、酢酸トコフェロール、トコフェロール、ニコチン酸トコフェロールおよびこれらの混合物等のビタミン類；アスコルビン酸、α−トコフェロール、ジブチルヒドロキシトルエン、ブチルヒドロキシアニソール等の酸化防止剤；グリシン、アラニン、ロイシン、セリン、トリプトファン、システイン、メチオニン、アスパラギン酸、グルタミン酸、アルギニン等のアミノ酸；エチレングリコール、ジエチレングリコール、プロピレングリコール、１，３−ブチレングリコール、グリセリン、コラーゲン、ヒアルロン酸、カロニン酸、乳酸ナトリウム、ｄｌ−ピロリドンカルボン酸塩、ケラチン、カゼイン、レシチン、尿素等の保湿剤；パラオキシ安息香酸エステル、安息香酸ナトリウム、ソルビン酸カリウム、フェノキシエタノール、塩化ベンザルコニウム、塩化ベンゼトニウム、塩化クロルヘキシジン、パラクロルメタクレゾール等の殺菌消毒剤；ｌ−メントール、カンフル、ハッカ油等の清涼剤；酸化亜鉛、アラントインヒドロキシアルミニウム、タンニン酸、クエン酸、乳酸等の収斂剤；アラントイン、グリシルレチン酸、グリチルリチン酸ジカリウム、アズレンなどの抗炎症剤；ラウリル酸メタクリレート、安息香酸メチル、フェニル酢酸メチル、ゲラニルクロトレート、ミリスチン酸アセトフェノン、酢酸ベンジル、プロピオン酸ベンジル、緑茶エキス等の消臭剤；ジエチルアミノヒドロキシベンゾイル安息香酸ヘキシル、パラメトキシケイ皮酸２−エチルヘキシル、エチルヘキシルトリアゾン、オキシベンゾン、ヒドロキシベンゾフェノンスルホン酸、ジヒドロキシベンゾフェノンスルホン酸ナトリウム、ジヒドロキシベンゾフェノン等の紫外線吸収剤；酸化亜鉛、酸化チタン、オクチルトリメトキシシラン被覆酸化チタン等の紫外線散乱剤；アルブチン、コウジ酸等の美白剤；等である。着色剤が配合されることにより、発泡物は、よりバラやツバキといった花に似た外観を呈しやすい。
【００７９】
有効成分が含有される場合、有効成分の含有量は、原液中０．０５質量％以上であることが好ましく、０．１質量％以上であることがより好ましい。また、有効成分の含有量は、２０質量％以下であることが好ましく、１５質量％以下であることがより好ましい。有効成分の含有量が０．０５質量％未満である場合、エアゾール組成物は、有効成分の効果が得られにくくなる傾向がある。一方、有効成分の含有量が２０質量％を超える場合、エアゾール組成物は、有効成分濃度が高くなりすぎ、所望する以上の効果が得られない傾向がある。
【００８０】
１価アルコールは、使用感を向上させたり、水に溶解しにくい有効成分を溶解したり、発泡物の硬さ等を調整する等の目的で適宜含有され得る。１価アルコールは特に限定されない。一例を挙げると、１価アルコールは、エタノール、イソプロパノール等の炭素数が２〜３個の１価アルコールである。
【００８１】
１価アルコールが含有される場合、１価アルコールの含有量は、原液中０．５質量％以上であることが好ましく、１質量％以上であることがより好ましい。また、１価アルコールの含有量は、３０質量％以下であることが好ましく、２０質量％以下であることがより好ましい。１価アルコールの含有量が０．５質量％未満である場合、エアゾール組成物は、１価アルコールを含有する効果が得られにくくなる傾向がある。一方、１価アルコールの含有量が３０質量％を超える場合、吐出された発泡物は、発泡しにくくなる傾向がある。
【００８２】
油分は、皮膚に艶や潤いを与える、油汚れを洗浄しやすくする、発泡状態を調整する等の目的で適宜含有され得る。油分は特に限定されない。一例を挙げると、油分は、流動パラフィン、スクワレン、スクワラン、イソパラフィンなどの炭化水素油；アジピン酸ジイソプロピル、ミリスチン酸イソプロピル、パルミチン酸イソプロピル、オクタン酸セチル、ミリスチン酸オクチルドデシル、ステアリン酸ブチル、ミリスチン酸ミリスチル、オレイン酸デシル、乳酸セチル、ステアリン酸イソセチル、セトステアリルアルコール、アジピン酸ジイソブチル、セバシン酸ジイソプロピル、コハク酸ジエトキシエチル、リンゴ酸ジイソステアリル等のエステル油；メチルポリシロキサン、オクタメチルシクロテトラシロキサン、デカメチルシクロペンタシロキサン、ドデカメチルシクロヘキサシロキサン、メチルシクロポリシロキサン、テトラヒドロテトラメチルシクロテトラシロキサン、オクタメチルトリシロキサン、デカメチルテトラシロキサン、メチルハイドロジェンポリシロキサン、メチルフェニルポリシロキサン、ポリグリセロール変性シリコーン等のシリコーンオイル；ラウリルアルコール、ミリスチルアルコール、セチルアルコール、ステアリルアルコール、ベヘニルアルコール、ラノリンアルコール等の高級アルコール；イソステアリン酸等の液体脂肪酸；アボカド油、マカダミアナッツ油、シア脂、オリーブ油、ツバキ油等の油脂；ミツロウ、ラノリンロウ等のロウ類；等である。
【００８３】
油分が含有される場合、油分の含有量は、原液中０．１質量％以上であることが好ましく、０．５質量％以上であることがより好ましい。また、油分の含有量は、１０質量％以下であることが好ましく、８質量％以下であることがより好ましい。油分の含有量が０．１質量％未満である場合、エアゾール組成物は、油分を含有する効果が得られにくくなる傾向がある。一方、油分の含有量が１０質量％を超える場合、発泡物は、充分に発泡しにくく、硬度が低くなり、成形されにくくなる傾向がある。
【００８４】
粉体は、紫外線を散乱させる、粉体自体を有効成分として作用させる、スクラブ等として作用させる、等の目的で適宜含有され得る。粉体は特に限定されない。一例を挙げると、粉体は、タルク、酸化亜鉛、カオリン、雲母、炭酸マグネシウム、炭酸カルシウム、ケイ酸亜鉛、ケイ酸マグネシウム、ケイ酸アルミニウム、ケイ酸カルシウム、シリカ、ゼオライト、セラミックパウダー、炭粉末、ナイロンパウダー、シルクパウダー、ウレタンパウダー、シリコーンパウダー、ポリエチレンパウダー等である。
【００８５】
粉体が含有される場合、粉体の含有量は、原液中０．１質量以上であることが好ましく、０．３質量％以上であることがより好ましい。また、粉体の含有量は、５質量％以下であることが好ましく、３質量％以下であることがより好ましい。粉体の含有量が０．１質量％未満である場合、粉体を含有する効果が得られにくい傾向がある。一方、粉体の含有量が５質量％を超える場合、バルブ機構２２や吐出部材３の吐出孔４３ｈで詰まりやすくなる傾向や、静置した状態で長期間保存した場合に、粉体が容器底部で固まりやすくなり（ケーキング）、均一な組成物を吐出しにくい傾向がある。
【００８６】
＜エアゾール組成物の調製方法＞
本実施形態のエアゾール組成物を調製する方法は特に限定されない。一例を挙げると、エアゾール組成物は、容器本体２１に原液を充填し、バルブ機構２２を固着し、バルブ機構２２のステム２３から液化ガスを充填して、容器本体２１内で原液と液化ガスとを混合することにより調製し得る。なお、耐圧容器内の圧力を調整したり、発泡状態を調整する等のために、イソペンタンやノルマルペンタンなどの炭化水素や、炭酸ガス、チッ素ガス、圧縮空気、酸素ガス、亜酸化窒素ガス等の圧縮ガス等がさらに充填されてもよい。これらの中でも、成形通路４３ｐに勢いよく供給され、エアゾール組成物を低温時でも所定の形状に成形しやすく、発泡物が吐出孔４３ｈから離れやすくなる点から圧縮ガスで加圧することが好ましい。さらには、アニオン性界面活性剤と共に含有されることで発泡物の弾性が高くなり、発泡物が成形通路４３ｐで成形されやすくなる点から、エアゾール組成物は、炭酸ガスが含有されることが好ましい。
【００８７】
［第２の実施形態］
＜発泡性エアゾール製品＞
本発明の一実施形態のエアゾール製品について、図面を参照して詳細に説明する。図６は、本実施形態のエアゾール製品１ａのうち、吐出部材３ａの断面形状を表した斜視図である。図７は、本実施形態のエアゾール製品１ａのうち、吐出部材３ａの断面形状を表した側面図である。図６〜図７に示されるエアゾール製品１ａは、いずれも噴射動作が行われていない状態（非噴射状態）である。なお、本実施形態のエアゾール製品１ａは、吐出部材３ａの構成が異なる以外は、第１の実施形態のエアゾール製品１（図１〜図４参照）と同様である。そのため、重複する説明は、適宜省略される。
【００８８】
本実施形態のエアゾール製品１ａの吐出部材３ａは、ステム２３に取り付けられるスパウト部４ａと、スパウト部４ａとステム２３とを覆う円筒状のカバー部５ａとを含む。スパウト部４ａは、ステム２３に取り付けられる略円柱状の基端部４１と、基端部４１の上端に形成され、基端部４１よりも径の大きなカップ状の大径部４４と、大径部４４の上部に形成されたノズル部４３とからなる。大径部４４は、カップ状の本体部４４ａと、本体部４４ａの外周縁に設けられた側周部４４ｂとからなる。側周部４４ｂは、外方向に延設された延設部４４ｃを備える。ノズル部４３は本体部４４ａの開口に嵌合や溶着などにより一体化されており、ノズル部４３の外周には水平方向に突出する操作部５２ａが設けられている。
【００８９】
カバー部５ａは、内周面に、容器本体２１と係合する係合部（図示せず）が設けられている。また、カバー部５ａは、内周面に、延設部４４ｃが挿入されるための、挿入穴５４ｈが形成されている。
【００９０】
操作部５２ａは、使用者によって適宜操作され、押し下げられる部位である。操作部５２ａは大径部４４の延設部４４ｃに対向する位置にあり、操作部５２ａが押し下げられる際には、挿入穴５４ｈに挿入された延設部４４ｃが支点となり、大径部４４およびステム２３を下方へ押し下げ得る。
【００９１】
大径部４４に設けられた発泡室Ｓ等の構成は、発泡室Ｓの底部の形状がカップ状となっている点を除き、第１の実施形態で上記したものと同様である。このような形状の発泡室Ｓによれば、発泡物は、発泡室Ｓ内で充分に発泡してから成形通路４３ｐに供給されるため、成形された形状が崩れにくい。なお、ノズル部４３の構成は、成形通路４３ｐが直線状である点を除き、第１の実施形態で上記したものと同様である。
【００９２】
本実施形態によれば、第１の実施形態と同様に、使用者によって操作部５２ａが操作されることにより、エアゾール組成物が容器本体２１から、吐出部材３ａの発泡室Ｓに取り込まれる。発泡室Ｓにおいて発泡したエアゾール組成物（発泡物）は、成形通路４３ｐを通過しながら、成形通路４３ｐの形状に沿って成形され、吐出孔４３ｈから吐出される。吐出孔４３ｈから吐出された発泡物は、上記範囲内の硬度を有しており、ノズル部４３がエアゾール容器の中心軸に向かって下降する傾斜面を形成するように開口しているため、吐出部材３ａから容易に離されやすく、対象物に付着させやすい。また、発泡物は、吐出部材３ａから容易に離されやすいため、吐出部材３ａのそれぞれの小ノズルの配置や形状等に基づいて、種々の形状が保持されたまま、対象物に付着しやすい。その結果、たとえば、バラやツバキといった花に似た形状の発泡物が、対象物上でも得られる。
【００９３】
以上、本発明の実施形態について、図面を参照して説明した。本発明は、たとえば次のような変形実施形態を採用することができる。
【００９４】
（１）上記実施形態では、それぞれ成形小通路の設けられた複数の小ノズルからなるノズル部を備える場合について例示した。これに代えて、本発明は、ノズルの個数と成形通路の個数とが異なっていてもよい。すなわち、一例を挙げると、本変形例は、１個のノズル部に、複数の成形通路が形成されていてもよい。
【実施例】
【００９５】
以下、実施例により本発明をより具体的に説明する。本発明は、これら実施例に何ら限定されない。
【００９６】
（実施例１）
以下の処方に従って原液１を調製し、９０ｇの原液１をアルミニウム製耐圧容器に充填し、バルブ機構を取り付け、バルブ機構から液化ガス（＊１）を１０ｇ充填した。
＜原液１＞
精製水                                                        ４７．５
（ＰＥＧ−２４０／デシルテトラデセス−２０／
ＨＤＩ）コポリマー（＊２）                                      ３．３３
ジプロピレングリコール（＊３）                                １０．０
メチルパラベン                                                  ０．１５
ラウリルリン酸／ＰＯＥラウリルエーテル酢酸
／ジプロピレングリコール／水酸化カリウム／精製水（＊４）      ２５．０
ソルビトール（＊５）                                          １０．０
コカミドプロピルベタイン(＊６)                                  ３．０
フェノキシエタノール                                            ０．７
センチフォリアバラ花エキス（＊７）                              ０．０１
ローズ水（＊８）                                                ０．０１
香料（＊９）                                                    ０．３        
合計（質量部）                                              １００．０
＊１：液化石油ガス（２０℃での飽和蒸気圧：０．３９ＭＰａ）
＊２：アデカノールＧＴ−７３０（商品名）、ＡＤＥＫＡ（株）製、ＰＥＧ−２４０／デシルテトラデセス−２０／ＨＤＩ）コポリマーを３０質量％含有する水溶液
＊３：ＤＰＧ−ＲＦ（商品名）、ＡＤＥＫＡ（株）製
＊４：プライオリーＢ−３００Ｄ（商品名）、花王（株）製
＊５：ソルビトール花王（商品名）、花王（株）製
＊６：レボン２０００ＨＧ（商品名）、三洋化成工業（株）製
＊７：バラエキスＳ（商品名）、香栄興業（株）製
＊８：バラ抽出液、香栄興業（株）製
＊９：Ｒｏｓｅ  ＫＨ−８９４８（商品名）、香栄興業（株）製
【００９７】
（実施例２）
９０ｇの原液１をアルミニウム製耐圧容器に充填し、バルブ機構を取り付け、バルブ機構から液化ガス（＊１０）を１０ｇ充填した。
＊１０：液化石油ガス（２０℃での飽和蒸気圧：０．５０ＭＰａ）
【００９８】
（実施例３）
８５ｇの原液１をアルミニウム製耐圧容器に充填し、バルブ機構を取り付け、バルブ機構から液化ガス（＊１）を１５ｇ充填した。
【００９９】
（実施例４）
８０ｇの原液１をアルミニウム製耐圧容器に充填し、バルブ機構を取り付け、バルブ機構から液化ガス（＊１）を２０ｇ充填した。
【０１００】
（実施例５）
９０ｇの原液１をアルミニウム製耐圧容器に充填し、バルブ機構を取り付け、バルブ機構から液化ガス（＊１１）を１０ｇ充填した。
＊１１：液化石油ガスとトランス−１，３，３，３−テトラフルオロプロパ−１−エンの質量比が５０／５０である混合物（２０℃での飽和蒸気圧：０．５２ＭＰａ）
【０１０１】
（実施例６）
９０ｇの原液１をアルミニウム製耐圧容器に充填し、バルブ機構を取り付け、バルブ機構から液化ガス（＊１２）を１０ｇ充填した。
＊１２：トランス−１，３，３，３−テトラフルオロプロパ−１−エン（２０℃での飽和蒸気圧：０．４１ＭＰａ）
【０１０２】
（実施例７）
９０ｇの原液１をアルミニウム製耐圧容器に充填し、バルブ機構を取り付け、バルブ機構から液化ガス（＊１）を１０ｇ充填した。さらに、バルブ機構から炭酸ガスを充填して容器内の圧力を０．６ＭＰａ（２５℃）に調整した。
【０１０３】
（実施例８）
９０ｇの原液１をアルミニウム製耐圧容器に充填し、バルブ機構を取り付け、バルブ機構から液化ガス（＊１１）を１０ｇ充填した。さらに、バルブ機構から炭酸ガスを充填して容器内の圧力を０．６ＭＰａ（２５℃）に調整した。
【０１０４】
（実施例９）
９０ｇの原液１をアルミニウム製耐圧容器に充填し、バルブ機構を取り付け、バルブ機構から液化ガス（＊１２）を１０ｇ充填した。さらに、バルブ機構から炭酸ガスを充填して容器内の圧力を０．６ＭＰａ（２５℃）に調整した。
【０１０５】
（実施例１０）
９０ｇの原液１をアルミニウム製耐圧容器に充填し、バルブ機構を取り付け、バルブ機構から液化ガス（＊１）を１０ｇ充填した。さらに、バルブ機構から窒素ガスを充填して容器内の圧力を０．６ＭＰａ（２５℃）に調整した。
【０１０６】
（実施例１１）
９０ｇの原液１をアルミニウム製耐圧容器に充填し、バルブ機構を取り付け、バルブ機構から液化ガス（＊１１）を１０ｇ充填した。さらに、バルブ機構から窒素ガスを充填して容器内の圧力を０．６ＭＰａ（２５℃）に調整した。
【０１０７】
（実施例１２）
９０ｇの原液１をアルミニウム製耐圧容器に充填し、バルブ機構を取り付け、バルブ機構から液化ガス（＊１２）を１０ｇ充填した。さらに、バルブ機構から窒素ガスを充填して容器内の圧力を０．６ＭＰａ（２５℃）に調整した。
【０１０８】
実施例１〜１２で調製したエアゾール組成物の処方を、表１にまとめる。
【０１０９】
【表１】
2018115267.tif 000003
【０１１０】
（実施例１３）
以下の処方に従って原液２を調製し、９５ｇの原液２をアルミニウム製耐圧容器に充填し、バルブ機構を取り付け、バルブ機構から液化ガス（＊１）を５ｇ充填した。さらに、バルブ機構から炭酸ガスを充填して容器内の圧力を０．６ＭＰａ（２５℃）に調整した。
＜原液２＞
精製水                                                        ４７．５
ポリクオタニウム５２（＊１３）                                  ３．３３
ジプロピレングリコール（＊３）                                １０．０
メチルパラベン                                                  ０．１５
ラウリルリン酸／ＰＯＥラウリルエーテル酢酸                    ２５．０
／ジプロピレングリコール／水酸化カリウム／精製水（＊４）
ソルビトール（＊５）                                          １０．０
コカミドプロピルベタイン(＊６)                                  ３．０
フェノキシエタノール                                            ０．７
センチフォリアバラ花エキス（＊７）                              ０．０１
ローズ水（＊８）                                                ０．０１
香料（＊９）                                                    ０．３        
合計（質量部）                                              １００．０
＊１３：ソフケアＫＧ−３０１Ｗ（商品名）、花王（株）製
【０１１１】
（実施例１４）
９０ｇの原液２をアルミニウム製耐圧容器に充填し、バルブ機構を取り付け、バルブ機構から液化ガス（＊１）を１０ｇ充填した。さらに、バルブ機構から炭酸ガスを充填して容器内の圧力を０．６ＭＰａ（２５℃）に調整した。
【０１１２】
（実施例１５）
８５ｇの原液２をアルミニウム製耐圧容器に充填し、バルブ機構を取り付け、バルブ機構から液化ガス（＊１）を１５ｇ充填した。さらに、バルブ機構から炭酸ガスを充填して容器内の圧力を０．６ＭＰａ（２５℃）に調整した。
【０１１３】
（実施例１６）
９０ｇの原液２をアルミニウム製耐圧容器に充填し、バルブ機構を取り付け、バルブ機構から液化ガス（＊１１）を１０ｇ充填した。さらに、バルブ機構から炭酸ガスを充填して容器内の圧力を０．６ＭＰａ（２５℃）に調整した。
【０１１４】
（実施例１７）
９０ｇの原液１をアルミニウム製耐圧容器に充填し、バルブ機構を取り付け、バルブ機構から液化ガス（＊１２）を１０ｇ充填した。さらに、バルブ機構から炭酸ガスを充填して容器内の圧力を０．６ＭＰａ（２５℃）に調整した。
【０１１５】
（実施例１８）
９０ｇの原液１をアルミニウム製耐圧容器に充填し、バルブ機構を取り付け、バルブ機構から液化ガス（＊１）を１０ｇ充填した。
【０１１６】
（実施例１９）
９０ｇの原液１をアルミニウム製耐圧容器に充填し、バルブ機構を取り付け、バルブ機構から液化ガス（＊１１）を１０ｇ充填した。
【０１１７】
実施例１３〜１９で調製したエアゾール組成物の処方を、表２にまとめる。
【０１１８】
【表２】
2018115267.tif 000004
【０１１９】
（実施例２０）
以下の処方に従って原液３を調製し、９０ｇの原液３をアルミニウム製耐圧容器に充填し、バルブ機構を取り付け、バルブ機構から液化ガス（＊１）を１０ｇ充填した。さらに、バルブ機構から炭酸ガスを充填して容器内の圧力を０．６ＭＰａ（２５℃）に調整した。
＜原液３＞
精製水                                                        ４９．８３
ゼラチン（＊１４）                                              １．０
ジプロピレングリコール（＊３）                                １０．０
メチルパラベン                                                  ０．１５
ラウリルリン酸／ＰＯＥラウリルエーテル酢酸                    ２５．０
／ジプロピレングリコール／水酸化カリウム／精製水（＊４）
ソルビトール（＊５）                                          １０．０
コカミドプロピルベタイン(＊６)                                  ３．０
フェノキシエタノール                                            ０．７
センチフォリアバラ花エキス（＊７）                              ０．０１
ローズ水（＊８）                                                ０．０１
香料（＊９）                                                    ０．３        
合計（質量部）                                              １００．０
＊１４：ゼラチンＡＰ−１００（商品名）、新田ゼラチン（株）製
【０１２０】
（実施例２１）
以下の処方に従って原液４を調製し、９５ｇの原液４をアルミニウム製耐圧容器に充填し、バルブ機構を取り付け、バルブ機構から液化ガス（＊１）を５ｇ充填した。さらに、バルブ機構から炭酸ガスを充填して容器内の圧力を０．６ＭＰａ（２５℃）に調整した。
＜原液４＞
精製水                                                        ５１．０８
ヤシ油脂肪酸サルコシントリエタノールアミン水溶液（＊１５）      ５．０
ラウリルリン酸／ＰＯＥラウリルエーテル酢酸                    ２０．０
／ジプロピレングリコール／水酸化カリウム／精製水（＊４）
トリイソステアリン酸ＰＥＧ−１６０ソルビタン（＊１６）          ０．５
ジプロピレングリコール（＊３）                                １０．０
ソルビトール（＊５）                                          １０．０
コカミドプロピルベタイン(＊６)                                  ３．０
メチルパラベン                                                  ０．１
センチフォリアバラ花エキス（＊７）                              ０．０１
ローズ水（＊８）                                                ０．０１
香料（＊９）                                                    ０．３        
合計（質量部）                                              １００．０
＊１５：ネオスコープＳＣＴ−３０（商品名）、東邦化学工業（株）製
＊１６：レオドールＴＷ−ＩＳ３９９Ｃ（商品名）、花王（株）製
【０１２１】
（実施例２２）
以下の処方に従って原液５を調製し、８０ｇの原液５をアルミニウム製耐圧容器に充填し、バルブ機構を取り付け、バルブ機構から液化ガス（＊１）を２０ｇ充填した。
＜原液５＞
精製水                                                        ５８．５８
ミリスチン酸                                                    ４．０
トリエタノールアミン１０質量％水溶液                          １３．０
ゼラチン１０質量％水溶液                                      ２０．０
ポリオキシエチレン硬化ヒマシ油（＊１７）                        １．０
ポリオキシエチレンヤシ油脂肪酸ソルビタン（＊１８）              １．０
ジメチコン（＊１９）                                            ２．０
メチルパラベン                                                  ０．１
センチフォリアバラ花エキス（＊７）                              ０．０１
ローズ水（＊８）                                                ０．０１
香料（＊９）                                                    ０．３        
合計（質量部）                                              １００．０
＊１７：ＮＩＫＫＯＬ  ＨＣＯ−６０（商品名）、日光ケミカルズ（株）製
＊１８：ＮＩＫＫＯＬ  ＴＬ−１０（商品名）、日光ケミカルズ（株）製
＊１９：ＳＨ２００  ＦＬＵＩＤ  ５００ｃｓ（商品名）、東レ・ダウコーニング・シリコーン（株）製
【０１２２】
（比較例１）
以下の処方に従って原液６を調製し、９０ｇの原液５をアルミニウム製耐圧容器に充填し、バルブ機構を取り付け、バルブ機構から液化ガス（＊１０）を１０ｇ充填した。
＜原液６＞
精製水                                                        ９８．９
ポリオキシエチレンヤシ油脂肪酸ソルビタン（＊１６）              １．０
メチルパラベン                                                  ０．１
合計（質量部）                                              １００．０
【０１２３】
実施例１〜２２および比較例１において作製したエアゾール製品について、以下の評価方法によって発泡物の外観、発泡物の硬度と弾性を評価した。結果を表３に示す。
【０１２４】
＜常温（２５℃）での発泡物の外観＞
それぞれの実施例および比較例で作製したエアゾール製品のエアゾール容器を２５℃の恒温水槽中に１時間浸漬し、図１に示す吐出部材を取り付けた。吐出孔を手のひらに向けて操作部を押し下げ、手のひらに発泡物を吐出して付着させた。吐出部材をゆっくりと離し、発泡物の形状を評価した。
（評価基準）
◎：発泡物は、ノズル部から離れ、手のひらに付着した。また、発泡物は内周、中間、外周（それぞれ図４の同心円Ｃ１〜Ｃ３を参照）がくっきりと分かれ、非常にきれいなバラの花の形状になった。
○：発泡物は、ノズル部から離れ、手のひらに付着した。また、発泡物はやや丸くなったものの内周、中間、外周が分かれ、きれいなバラの花の形状になった。
△：発泡物は、ノズル部から離れたが、手のひらにやや付着しにくくなった。また、発泡物は内周が合体したが、全体としてはバラの花の形状になった。
×：発泡物は、一部がノズル部から離れず、手のひら上でバラの花の形状にならなかった。
【０１２５】
＜低温（１０℃）での発泡物の外観＞
それぞれの実施例および比較例で作製したエアゾール製品のエアゾール容器を１０℃の恒温水槽中に１時間浸漬し、図１に示す吐出部材を取り付けた。吐出孔を手のひらに向けて操作部を押し下げ、手のひらに発泡物を吐出して付着させた。吐出部材をゆっくりと離し、発泡物の形状を評価した。
（評価基準）
◎：発泡物は、ノズル部から離れ、手のひらに付着し、常温で吐出した際の発泡物の形状とほとんど変わらなかった。
○：発泡物は、ノズル部から離れ、手のひらに付着し、常温で吐出した際の発泡物の形状より花びら状の発泡物がやや丸くなった。
△：発泡物は、ノズル部から離れ、手のひらにやや付着しにくくなった。常温で吐出した際の発泡物の形状よりも、バラの花の形状がくずれた。
×：発泡物は、一部がノズル部から離れず、手のひら上でバラの花の形状にならなかった。
【０１２６】
＜発泡物の硬度と弾性＞
それぞれの実施例および比較例で作製したエアゾール製品のエアゾール容器を２５℃の恒温水槽中に１時間浸漬し、吐出孔が３ｍｍである１本のノズルを有するスパウトを取り付けた。ノズルから有底円筒状のカップ（内径３２ｍｍ、深さ２７ｍｍ）に吐出してカップ内を発泡物で満たし、カップの開口をプレートですり切って発泡物の表面を平らにした。この発泡物に直径３０ｍｍの円板状のプランジャーで荷重をかけて圧縮することにより硬度（破断点）と弾性を測定した。なお硬度と弾性の測定はＥＺ−ｔｅｓｔ（（株）島津製作所製）を使用した。
【０１２７】
【表３】
2018115267.tif 000005
【０１２８】
表３に示されるように、実施例１〜２２のエアゾール製品から吐出された発泡物は、いずれも対象物上に付着させることができ、かつ、２５℃および１０℃の両方で、バラの花の形状となった。また、これらの発泡物の硬度は４００〜２９００ｍＮ程度であり、かつ、弾性は５００〜１６００Ｎ／ｍｍであったことから、適度に硬く、弾力を有していた。一方、比較例１のエアゾール製品から吐出された発泡物は、対象物に付着させにくく、かつ、バラの花の形状にはならなかった。また、発泡物の硬度および弾性の値が小さかった。
【符号の説明】
【０１２９】
１、１ａ  エアゾール製品
２  エアゾール容器
２１  容器本体
２２  バルブ機構
２３  ステム
３、３ａ  吐出部材
４、４ａ  スパウト部
４１  基端部
４１ｆ  フランジ部
４１ｐ  連通路
４２  発泡部
４３  ノズル部
４３ａ〜４３ｃ  小ノズル
４３ｈ  吐出孔
４３ｉ  導入孔
４３ｐ  成形通路
４３ｑ  成形小通路
４４  大径部
４４ａ  本体部
４４ｂ  側周部
４４ｃ  延設部
５、５ａ  カバー部
５１  カバー本体
５２、５２ａ  操作部
５３  天面部
５４  側面部
５４ｈ  挿入穴
Ｃ１〜Ｃ３  同心円
Ｒ１〜Ｒ３  領域
【図１】
2018115267.tif 000006
【図２】
2018115267.tif 000007
【図３】
2018115267.tif 000008
【図４】
2018115267.tif 000009
【図５】
2018115267.tif 000010
【図６】
2018115267.tif 000011
【図７】
2018115267.tif 000012